(57)【要約】【課題】高記録密度の情報ディスクの下位記録再生装置への挿入を阻止する。【解決手段】カートリッジ１は、情報ディスク２７を回転可能に収納していて、記録再生用の開口部３０，３１とチャッキング用開口部２９が形成されたカートリッジ本体２４と、カートリッジ本体２４の一側面に沿って移動可能に配設され前記開口部を開閉するシャッタ部材３２と、カートリッジ本体２４の一方の側面に、前側面に臨む一方の端部を開放した誤挿入防止用溝部６０と、を備えている。誤挿入防止用溝部６０の前記挿入方向の長さを、情報ディスクの記録密度の分類に合わせて異ならしめた。【選択図】　図１
2004118895.tif 000002
【特許請求の範囲】
【請求項１】
記録／再生装置への挿入方向と略平行な両側面と、前記記録／再生装置への挿入方向の前端側となる前側面と後端側となる後側面を有し、平面が略矩形状に形成され、内部に情報ディスクを回転可能に収納し、前記情報ディスクの信号記録面の少なくとも一部を外方に臨ませる開口部が形成されるとともに、前記情報ディスクに設けた駆動用ハブを外方に臨ませるチャッキング用開口部が形成されたカートリッジ本体と、
前記カートリッジ本体の一側面に沿って移動可能に配設され、前記開口部を開閉するシャッタ部材と、
前記カートリッジ本体の一方の側面に、前記前側面に臨む一方の端部を開放した誤挿入防止用溝部と、を備えているカートリッジにおいて、
前記誤挿入防止用溝部の前記挿入方向の長さを、前記情報ディスクの記録密度の分類に合わせて異ならしめたことを特徴とするカートリッジ。
【請求項２】
標準の記録密度を有する第１の情報ディスクを収納した第１のカートリッジよりも高記録密度を有する第２の情報ディスクを収納した第２のカートリッジであって、
前記誤挿入防止用溝部の前記挿入方向の長さを、前記第１の情報ディスクの誤挿入防止用溝部の前記挿入方向の長さよりも短かくなるように構成されている
ことを特徴とする請求項１記載のカートリッジ。
【請求項３】
前記誤挿入防止用溝部は、前記カートリッジ本体の厚さの範囲とし、
側面もしくは側面と表裏いずれか一方の面に開放されている形状とした
ことを特徴とする請求項１記載のカートリッジ。
【請求項４】
前記誤挿入防止用溝部は、規制端面を凹面とした
ことを特徴とする請求項１記載のカートリッジ。
【請求項５】
内部に情報ディスクを回転可能に収納し、前記情報ディスクの信号記録面の少なくとも一部を外方に臨ませる開口部が形成されるとともに、前記情報ディスクに設けた駆動用ハブを外方に臨ませるチャッキング用開口部が形成されたカートリッジ本体と、前記開口部を開閉するシャッタ部材と、前記カートリッジ本体の一側面に、誤挿入防止用溝部とを備え、前記誤挿入防止用溝部の前記挿入方向の長さが前記情報ディスクの記録密度の分類に合わせて異ならしめてある複数種のカートリッジを装着し得る装着装置であって、
前記誤挿入防止用溝部に嵌入する誤挿入防止部材は、高記録密度を有する情報ディスクを収納したカートリッジの前記誤挿入防止用溝部の長さ方向の一端の規制端面に当接する位置に設けられている
ことを特徴とするカートリッジ装着装置。
【発明の詳細な説明】
【０００１】
【産業上の利用分野】
本発明は、情報信号の記録媒体として用いられる磁気ディスクや光ディスク等のディスクを収納したディスクカートリッジに関する。
【０００２】
【従来の技術】
従来、情報信号の記録媒体をして用いられる磁気ディスクや光ディスクは、信号記録面に塵埃が付着したり傷が付いてしまうと、正確に情報信号の記録再生を行うことができなくなってしまう。そこで、記録媒体として用いられるディスクは、信号記録面への塵埃の付着や傷付きを防止し、さらに、保管時や記録及び／又は再生装置への装脱を容易に行い得るようにするため、カートリッジ本体に収納されディスクカートリッジとして構成されている。
【０００３】
この種のディスクカートリッジとして、図１〜図４に示すように構成されたものが提案されている。図３に示すように、情報信号の記録媒体となるディスク１と、このディスク１を収納するカートリッジ本体２とを備える。ディスク１の中央部には、信号記録層に対して情報信号の記録及び／又は再生を行うディスク記録及び／又は再生装置に設けられるディスク回転駆動機構に保持するためのディスクハブ３が取り付けられている。ディスクハブ３は、金属板等円盤状に形成されている。このディスク１において、ディスクハブ３の外周側の領域が信号記録領域となされている。
【０００４】
上記ディスク１を収納するカートリッジ本体２は、互いに対を成す上ハーフ４と下ハーフ５とを突合わせ結合して形成され、内部にディスク１を収納し得る空間を有する矩形状に形成されている。
【０００５】
カートリッジ本体２の上下の相対向する主面４ａ，５ａには、カートリッジ本体２に収納したディスク１の上下面に設けられた信号記録面の少なくとも一部を内外周に亘って外方に臨ませる記録及び／又は再生用の開口部６、７が設けられている。
【０００６】
これら、開口部６、７は、図２及び図３に示すように、カートリッジ本体２の左右方向の中央部に位置して、カートリッジ本体２の中央部近傍からカートリジ本体２の第１の側面２ａの近傍に亘って略矩形状に形成されている。これら記録及び／又は再生用の開口部６、７は、ディスクカートリッジがディスク記録及び／又は再生装置に装着された時、記録及び／又は再生装置側に設けられた磁気ヘッド等の記録及び／又は再生手段が進入してディスク１に対する情報信号の記録及び／又は再生を行うことを可能にする。
【０００７】
カートリッジ本体２には、記録及び／又は再生用の開口部６、７を開閉するシャッタ部材９が取り付けられている。シャッタ部材９は薄い金属板等で断面コ字状をなすように形成され、カートリッジ本体２の第１の側面２ａに沿う連結片１０と、この連結片１０の両側から相対向するように延長されてカートリッジ本体２の上下の主面４ａ、５ａ上に延在される一対のシャッタ部１１、１２を備える。これらシャッタ部１１、１２には、シャッタ部材９の移動位置に応じて記録及び／又は再生用の開口部６、７を開放する為の矩形状の切り欠き穴１３、１４が形成されている。
【０００８】
シャッタ部材９は、一対のシャッタ部１１、１２をカートリッジ本体２の上下の主面４ａ，５ａ上に延在させるようにしてカートリッジ本体２の第１の側面２ａ側からカートリッジ本体２に嵌合され、カートリッジ本体２の第１の側面２ａに沿って記録及び／又は再生用の開口部６、７を開閉する図１及び図３中矢印Ｋ方向又はＬ方向に移動可能に取付けられる。
【０００９】
図１、図２及び図４に示すように、ディスクカートリッジには、シャッタ部材９がスライドするカートリッジ本体２の第１の側面２ａに沿ってシャッタ開放操作用溝部１８が設けられ、第１の側面２ａと平行な第２の側面２ｂに沿って誤挿入防止溝部１９が設けられている。このように相対向する互いに平行な第１及び第２の側面２ａ，２ｂにそれぞれシャッタ開放操作用溝部１８及び誤挿入防止溝部１９を設けたディスクカートリッジは、第１及び第２の側面２ａ，２ｂに直交する第３の側面２ｃ側を挿入端として、図１中矢印Ｓ方向を挿入方向としてディスク記録及び／又は再生装置に挿入される。
【００１０】
カートリッジ本体２の第１の側面２ａに設けられるシャッタ開放操作用溝部１８は、ディスク記録及び／又は再生装置への挿入端となる第３の側面２ｃ側を開放端１８ａとして、シャッタ部材９のスライド方向に亘って形成されている。シャッタ開放操作用溝部１８は、カートリッジ本体２の第３の側面２ｃからシャッタ部材９が切り欠き穴１３、１４を記録及び／又は再生用の開口部６、７に対応させた図２に示す開口部開放位置に移動された時の連結板１０の第３の側面２ｃ側に位置する一端縁１０ａに至る図２中矢印ＦＬで示す長さ範囲に亘って形成されている。
【００１１】
カートリッジ本体２の第２の側面２ｂにシャッタ開放操作用溝部１８と平行に形成される誤挿入防止溝部１９は、カートリッジ本体２の第３の側面２ｃ側を開放端１９ａとして第２の側面２ｂに沿って形成されている。誤挿入防止溝部１９は、開放端１９ａ側の第３の側面２ｃからの長さＧＬを、図２に示すように、シャッタ開放操作用溝部１８の長さより短く形成されている。　ＧＬ＜ＦＬ
そして、カートリッジ本体２の第３の側面２ｃ側のシャッタ開放操作用溝部１８の底面から誤挿入防止溝部１９の底面間に亘る長さＢＬは、図１に示すように、カートリッジ本体２のディスク記録及び／又は再生装置への挿入方向に沿う第１及び第２の側面２ａ，２ｂの長さＡＬより短く形成されている。カートリッジ本体２の第３の側面２ｃ側のシャッタ開放操作用溝部１８の底面から誤挿入防止部１９の底面間に亘る長さＢＬは、図１に示すように、第３の側面２ｃ及び第３の側面２ｃに平行な第４の側面２ｄの長さＣＬよりも短い。　ＢＬ＜ＡＬ，ＢＬ＜ＣＬ
このディスクカートリッジは、第３の側面２ｃを挿入端として、図２に示すように、ディスク及び／又は再生装置５０のカートリッジ装着部５１に装着される。カートリッジ装着部５１に対しディスクカートリッジの装着を行う為のカートリッジ挿脱口５１ａは、カートリッジ本体２の厚さよりもやや大きい幅を有し、図２に示すように、ディスク及び／又は再生装置５０へ挿入端となる第３の側面２ｃの長さＣＬよりもやや長い長さＥＬをもって形成されている。　ＣＬ＜ＥＬそして、シャッタ開放操作ピン５２と誤挿入防止ピン５３の先端部間の距離ＤＬは、図２に示すように、シャッタ開放操作用溝部１８の底面から誤挿入防止溝部１９の底面間に亘る長さＢＬよりもやや長くなされ形成されている。また、シャッタ開放操作ピン５２と誤挿入防止ピン５３の先端部間の最短距離ＤＬは、カートリッジ本体２のディスク記録及び／又は再生装置５０への挿入端となる第３の側面２ｃの長さＣＬよりも短く形成されている。さらに、シャッタ開放操作ピン５２と誤挿入防止ピン５３の先端部間の距離ＤＬは、カートリッジ本体２のシャッタ部材９がスライドする第１の側面２ａの長さＡＬよりも短く形成されている。　ＢＬ＜ＤＬ、ＤＬ＜ＣＬ，ＤＬ＜ＡＬ
シャッタ開放操作ピン５２は、図２に示すように、カートリッジ装着部５１にディスクカートリッジが正しく挿入されるとき、シャッタ開放操作用溝部１８に係合し、記録及び／又は再生用の開口部６、７を閉塞した第１の位置にあるシャッタ部材９を、開口部６、７を開放した第２の位置に移動させるに足る位置に設けられる。すなわち、ディスクカートリッジが、図２に示すように、カートリッジ装着部５１に装着されてシャッタ部材９が記録及び／再生用の開口部６、７を開放させた第２の位置に移動されたときにあるとき、カートリッジ本体２の第２の側面２ｃからシャッタ部材９の連結板１０の第３の側面２ｃ側に位置する一端縁１０ａに至る図２中矢印ＦＬで示す長さに相当する距離だけカートリッジ挿脱口５１ａ側に位置するように設けられている。
【００１２】
また、誤挿入防止ピン５３は、ディスクカートリッジが、図２に示すように、カートリッジ装着部５１に装着されてシャッタ部材９が記録及び／再生用の開口部６、７を開放させた第２の位置に移動された状態となされたとき、誤挿入防止溝部１９の挿入方向側の底部１９ａに当接もしくは近接した位置に設けられる。すなわち、誤挿入防止ピン５３は、ディスクカートリッジが図２に示すようにカートリッジ装着部５１に正しく装着されたとき、カートリッジ本体２の第３の側面２ｃから図２中矢印ＧＬで示す誤挿入防止溝部１９の長さＧＬに相当する距離だけカートリッジ本体２の第３の側面２ｃからカートリッジ挿脱口５１ａ側に位置するように設けられている。誤挿入防止ピン５３は、誤挿入防止用溝１９に対応するように、カートリッジ本体２の厚さ方向に対し下方側の主面５ａに変位した位置に設けられている。
【００１３】
上述したようにシャッタ開放操作ピン５２及び誤挿入防止ピン５３をカートリッジ装着部５１に設けることにより、ディスクカートリッジが第３の側面２ｃを挿入端とし、シャッタ開放操作用溝部１８をシャッタ開放操作ピン５２側に位置させ、誤挿入防止溝部１９を誤挿入防止ピン５３側に位置させてするようにしてカートリッジ挿脱口５１ａを介してカートリッジ装着部５１に挿入されていくと、シャッタ開放操作ピン５２がシャッタ開放操作用溝部１８に進入し、シャッタ部材９の連結板１０の端部に当接する。さらにディスクカートリッジがカートリッジ装着部５１の内方に挿入されると、シャッタ部材９は、カートリッジ装着部５１の内方に挿入されるカートリッジ本体２に対し図１中矢印Ｋ方向に相対移動され、シャッタ部１１、１２が記録及び／又は再生用の開口部６、７を閉塞した第１の位置から開口部６、７を開放した第２の位置方向に向かって移動される。
【００１４】
さらに、ディスクカートリッジがカートリッジ装着部５１の内方側に挿入されると、誤挿入防止ピン５３が誤挿入防止溝部１９に進入し、シャッタ部材９は、図１中矢印Ｋ方向に移動され、記録及び／又は再生用の開口部６、７を開放した第２の位置に移動される。このとき、ディスクカートリッジはカートリッジ装着部５１の装着位置に装着され、情報信号の記録及び／又は再生が可能な状態となされる。
【００１５】
上述したように、ディスクカートリッジは、ＢＬ＜ＤＬ＜ＣＬ＜ＥＬの関係にある。したがって、ディスクカートリッジは、挿入端を反転させてカートリッジ本体２の第４の側面２ｄ側からカートリッジ装着部５１に挿入した場合には、カートリッジ本体２の第４の面２ｄがシャッタ開放操作ピン５２に当接し、カートリッジ装着部５１の所定のカートリッジ装着位置への挿入が規制され、誤挿入が防止される。
【００１６】
また、上述したように、ディスクカートリッジは、ＢＬ＜ＤＬ＜ＡＬの関係にあり、ディスクカートリッジが挿入端側となる第３の面に直交する第１の面２ａ又は第２の面２ｂを挿入端としてカートリッジ装着部５１に挿入した場合には、カートリッジ本体２の第１の面２ａ又は第２の面２ｂが誤挿入防止ピン５３に当接し、カートリッジ装着部５１の所定のカートリッジ装着位置への挿入が規制され、誤挿入が防止される。
【００１７】
さらに、誤挿入防止溝部１９がシャッタ開放操作用溝部１８よりも短く形成され、誤挿入防止溝部１９がカートリッジ本体２の厚さ方向の中心から変位した位置に設けられているので、表裏を反転してカートリッジ装着部５１に挿入した場合、挿入端となる第１の面２ａがシャッタ開放操作ピン５２に当接し、カートリッジ装着部５１の所定のカートリッジ装着位置への挿入が規制され、誤挿入が防止される。
【００１８】
上述のように、ディスクカートリッジは、ディスクを収納したカートリジ本体に取り付けたシャッタ部材が移動するカートリッジ本体の第１の側面に沿ってシャッタ部材の開放操作を行うシャッタ開放操作用溝部を設け、カートリッジ本体の第１の側面と対向する第２の側面にシャッタ開放操作用溝部を平行にシャッタ開放操作用溝部よりも短い誤挿入防止溝部を設けることにより、挿入方向を誤った挿入を確実に防止する構造となっている。
【００１９】
【特許文献１】
特開平４−２８９５７２号公報（第４〜１０頁）
【００２０】
【特許文献２】
特開２００１−２５０３５６号公報（第１頁、第５〜６頁）
【００２１】
【発明が解決しようとする課題】
上述したように構成されたディスクカートリッジに従来よりも高記録密度の光ディスクを収納した光ディスクカートリッジの提案がなされている。
【００２２】
しかし、この高記録密度の光ディスクの記録及び／又は再生は従来のディスク記録及び／又は再生装置では不可能である。そのため高記録密度の光ディスクを収納した光ディスクカートリッジが従来の記録及び／又は再生装置に挿入されると、ディスクの中身の情報があらかじめ入っているリードインエリアの情報を読み出し、Ｅｒｒｏｒ表示または記録及び／又は再生装置から自動的に排出（Ｅｊｅｃｔ）されることによって、初めて非互換であることが分かる。したがって、ユーザーが高記録密度の光ディスクを収納した光ディスクカートリッジを従来の記録及び／又は再生装置に挿入して非互換であることが分かるまでに６〜１０秒程度時間を要することになる。
【００２３】
また、高記録密度の光ディスクの記録及び／又は再生が可能なディスク記録及び／又は再生装置は、従来の記録密度の光ディスクの記録及び／又は再生が可能であることから、この従来記録密度の光ディスクを収納したディスクカートリッジは装着可能でなければならない。
【００２４】
そこで、本発明は上述の実状に鑑みて提案されるものであって、前記従来の技術の項で説明した誤挿入防止溝を使用して、高記録密度の光ディスクの記録及び／又は再生装置では、従来記録密度の光ディスクを収納したディスクカートリッジを装着可能となし、高記録密度の光ディスクを収納したディスクカートリッジは従来記録密度の光ディスクの記録及び／又は再生装置に確実に装着できないディスクカートリッジを提供することを目的とする。
【００２５】
【課題を解決するための手段】
本発明は、記録／再生装置への挿入方向と略平行な両側面と、前記記録／再生装置への挿入方向の前端側となる前側面と後端側となる後側面を有し、平面が略矩形状に形成され、内部に情報ディスクを回転可能に収納し、前記情報ディスクの信号記録面の少なくとも一部を外方に臨ませる開口部が形成されるとともに、前記情報ディスクに設けた駆動用ハブを外方に臨ませるチャッキング用開口部が形成されたカートリッジ本体と、
前記カートリッジ本体の一側面に沿って移動可能に配設され、前記開口部を開閉するシャッタ部材と、
前記カートリッジ本体の一方の側面に、前記前側面に臨む一方の端部を開放した誤挿入防止用溝部と、を備えているカートリッジにおいて、
前記誤挿入防止用溝部の前記挿入方向の長さを、前記情報ディスクの記録密度の分類に合わせて異ならしめることにより、
高記録密度の光ディスクを収納した光ディスクカートリッジ及び、従来記録密度の光ディスクを収納した光ディスクカートリッジを高記録密度の光ディスク記録及び／又は再生装置に挿入すると、シャッタ開放操作用溝部にシャッタ開放部材が係合し、誤挿入防止溝部に誤挿入防止部材が係合して確実に装着されようにするとともに、高記録密度の光ディスクを収納した光ディスクカートリッジを従来記録密度の光ディスク記録及び／又は再生装置に挿入したときには、誤挿入防止部材がディスクカートリッジの誤挿入防止溝部に当接し、従来記録密度の光ディスク記録及び／又は再生装置への更なる挿入が規制されるようにした。
【００２６】
【発明の実施の形態】
以下、本発明が適用されたディスクカートリッジを図面を参照しながら説明する。本発明に係るディスクカートリッジ２１は、図５及び図６に示すように、合成樹脂を成形して矩形状に形成された上下一対のハーフ２２、２３を突合わせ結合して形成したカートリッジ本体２４を備える。上下ハーフ２２、２３の周囲には、互いに突合わせられてカートリッジ本体２４を構成したとき、カートリッジ本体２４の周壁２５を構成する立ち上がり壁２５ａ，２５ｂが形成されている。また、上下ハーフ２２、２３の相対向する面にはこれら上下ハーフ２２、２３に内接する円を形成するように、収納部形成壁２６ａ，２６ｂが形成されている。これら収納部形成壁２６ａ，２６ｂは、互いに突き合わせられてカートリッジ本体２４内にディスク収納部２６を構成する。光ディスク２７は、ディスク収納部２６内に回転自在に収納される。
【００２７】
カートリッジ本体２４の下面を構成する下ハーフ２３の中央部には、図６に示すように、このカートリッジ本体２４に収納された光ディスク２７の中央部に取り付けられたマグネットクランプ用のハブ２８を外方に臨ませる円形の中央開口部２９が設けられている。この中央開口部２９には、ディスクカートリッジ２１をディスク記録／又は再生装置に装着したとき、カートリッジ本体２４に収納した光ディスク２７を回転駆動するディスク回転駆動機構のディスクテーブルが進入する。すなわち、光ディスク２７は、ディスクカートリッジ２１がディスク記録及び／又は再生装置に装着されたとき、中央開口部２９を介してカートリッジ本体２４内に進入するディスクテーブル上にクランプされ、ディスクテーブルを一体に回転駆動される。
【００２８】
さらに、カートリッジ本体２４の上下面を構成する上下ハーフ２２、２３には、ディスク収納部２６に収納した光ディスク２７の信号記録領域の少なくとも一部を内外周に亘って外方へ臨ませるとともに、光ピックアップ装置の対物レンズや磁気ヘッド等の記録及び／又は再生手段を光ディスク２７に対向させるための記録再生用の開口部３０、３１が設けられている。これら開口部３０、３１は、カートリッジ本体２４の左右方向の中央部にして、中央開口部２８の近傍からカートリッジ本体２４の一側面である前面側に亘って形成されている。
【００２９】
本発明に係るディスクカートリッジ２１は、光ディスク２７を収納したままの状態でディスク記録及び／又は再生装置に装着され、また、光ディスク２７を収納した状態で保管される。
【００３０】
そこで、ディスクカートリッジ２１の保管時に記録再生用の開口部３０、３１を介して塵埃や異物が進入することによって光ディスク２７が汚損されることを防止するため、ディスクカートリッジ２１の保管時に開口部３０、３１を閉塞し、ディスク記録及び／又は再生装置への装着時に開口部３０、３１を開放するシャッタ部材３２が取り付けられている。
【００３１】
シャッタ部材３２は、カートリッジ本体２４の上下面に形成された記録再生用の開口部３０、３１を閉塞する互いに平行に延長された第１及び第２のシャッタ部３３、３４と、これらシャッタ部３３、３４の基端部を連結する連結片３５とを有し、全体で断面コ字状に形成されている。連結片３５の両側には、下ハーフ２３の前面側に係合し、シャッタ部材３２の移動方向をガイドする断面コ字状をなす第１及び第２の移動ガイド部３６、３７が突設されている。
【００３２】
シャッタ部材３２は、薄い金属板を素材として形成され、この薄い金属板に外形抜き、折り曲げ加工及び切断加工等の加工を施して形成される。このように形成されたシャッタ部材３２は、第１及び第２のシャッタ部３３、３４を記録再生用の開口部３０、３１上に延在するようにしてカートリッジ本体２４の前面側から組み合わされる。このとき、第１及び第２の移動ガイド部３６、３７が下ハーフ２３の前面側に嵌合し、第１及び第２の移動ガイド部３６、３７の一部を折り曲げて形成した係合片４０が下ハーフ２３の外方側の面に形成した図示しない移動ガイド溝に係合することによってカートリッジ本体２４からの抜け止めが図られ、カートリッジ本体２４の前面側に沿って記録再生用の開口部３０、３１を開閉する図５中矢印Ａ方向及び矢印Ｂ方向に移動可能に取り付けられる。
【００３３】
なお、カートリッジ本体２４の上下面及び前面側には、シャッタ部材３２が開口部３０、３１を閉塞する位置から開放する位置に移動する領域に亘って、図５に示すように、シャッタ部材３２を構成する金属板の厚さにほぼ等しい深さを有するシャッタ部材移動凹部４１が形成されている。シャッタ部材３２は、シャッタ部材移動凹部４１内に配設されることにより、カートリッジ本体２４の外面とほぼ面一となってカートリッジ本体２４に取り付けられる。
【００３４】
カートリッジ本体２４の前面側の一方コーナ部には、記録再生用の開口部３０、３１を閉塞した位置に移動されたシャッタ部材３２の移動を規制するシャッタロック部材４２が取り付けられている。シャッタロック部材４２は、合成樹脂を用いて形成され、基端部側に下ハーフ２３に植立した支軸４３に枢支される枢支部４４が設けられ、この枢支部４４から相対向するようにロックアーム部４５と弾性変位部４６が延長されている。ロックアーム部４５の中途部の一側面には、シャッタ部材３２の第１の移動ガイド部３６の一部を折り曲げて形成したロック片４７が係合する係合凹部４８が形成されている。
【００３５】
このようにカートリッジ本体２４内に取り付けられたシャッタロック部材４２は、シャッタ部材３２が、図５に示すように、カートリッジ本体２４に設けた記録再生用の開口部３１を閉塞した位置に移動されたとき、ロック片４７が係合凹部４８に係合することによってシャッタ部材３２の移動を規制し、各開口部３０、３１を閉塞した状態に保持する。
【００３６】
上述のようにシャッタ部材３２が移動可能に取り付けられたカートリッジ本体２４の前面側には、シャッタロック部材４２を弾性変位させてロック片４７の係合凹部４８への係合を解除させるとともにシャッタ部材３２を開口部３０、３１を開放する図５中矢印Ａ方向に移動操作するディスク記録及び／又は再生装置側に設けられるシャッタ開放操作部材７１が進入する開放操作部材係合溝５３が設けられている。この開放操作部材係合溝５３は、図５に示すように、シャッタ部材３２が移動するカートリッジ本体２４の前面に直交する一方の側面を開放してカートリッジ本体２４の前面に形成されている。
【００３７】
開放操作部材係合溝５３は、カートリッジ本体２４の周壁２５の一部を構成する前面壁５４をカートリッジ本体２４の内方側に形成することによって形成される。したがって、前面壁５４を構成する上下ハーフ２２、２３の前面側に形成される立ち上がり壁５４ａ，５４ｂは、上下ハーフ２２、２３の内方側に位置して上下ハーフ２２、２３の前面端面と平行に形成されている。そして、シャッタロック部材４２のロックアーム部４５の係合凹部４８が形成された一側面側がカートリッジ本体２４の外方に臨まされる切り欠き部４９は、前面壁５４の一部を切欠くことによって形成される。すなわち、ロックアーム部４５は切り欠き部４９を介して開放操作部材係合溝５３内に突出されている。
【００３８】
また、下ハーフ２３の前面側には、開放操作部材係合溝５３内に位置するようにしてシャッタガイド壁５５が設けられている。シャッタガイド壁５５は、下ハーフ２３の前面側に嵌合される第１及び第２の移動ガイド部３６、３７の揺動を規制し、シャッタ部材３２の安定した移動を保証するようにしたものである。
【００３９】
なお、カートリッジ本体２４のシャッタロック部材４２が取り付けられる前面側の一方のコーナ部に対向する背面側の他方のコーナ部には、図６に示すように、カートリッジ本体２４に設けた誤記録検出穴を開閉することによって、カートリッジ本体２４に収納された光ディスク２７に対する情報信号の記録の可否を選択する誤記録防止部材５５が移動可能に取り付けられる。
【００４０】
本発明に係る高記録密度の光ディスクを収納した光ディスクカートリッジの誤挿入防止溝部６０は、図８に示すように、開放端６０ａ側の第３の側面２４ｃからの長さＨＬが、図４に示す従来記録密度の光ディスクを収納した光ディスクカートリッジの誤挿入防止溝部１９の長さＧＬの１／２の長さに形成されている。
【００４１】
誤挿入防止溝部６０は、図９に拡大して示すように、カートリッジ本体２４の側面側にのみ開放する構成としても良いし、図１０に示すように、カートリッジ本体２４の側面と表裏いずれか一方の面に開放する構成にしても良い。また、図１１に示すように、高記録密度の光ディスク記録及び／又は再生装置の誤挿入防止部材７４が当接する誤挿入防止溝部６０の規制端面６０ｂは、凹面になっていて、誤挿入防止部材７４の位置ずれを防止するようになっている。誤挿入防止部材７４は、ピン状のものに限らず図１２に示すように、細長い板状のものであっても良い。
【００４２】
誤挿入防止部材７４は、高記録密度の光ディスクを収納した光ディスクカートリッジがカートリッジ装着部７１に装着されてシャッタ部材３２が記録及び／又は再生用の開口部３０、３１を開放させた第２の位置に移動されたとき、誤挿入防止溝部６０の挿入方向側の底部である規制端面６０ｂに当接する位置もしくは長さに形成されている。
【００４３】
上述のように誤挿入防止部材７４を配した高記録密度の光ディスク記録及び／又は再生装置のカートリッジ装着部７１に従来記録密度の光ディスクを収納した光ディスクカートリッジを挿入した場合においても誤挿入防止部材７４が従来記録密度の光ディスクを収納した光ディスクカートリッジの誤挿入防止溝部１９の底部の規制端面１９ａに当接することなく正しく装着される。
【００４４】
本発明に係る高記録密度の光ディスクを収納した光ディスクカートリッジを従来記録密度の光ディスク記録及び／又は再生装置に挿入したときには、誤挿入防止部材がディスクカートリッジの誤挿入防止溝部６０の底部の規制端面６０ｂに当接し、従来記録密度の光ディスク記録及び／又は再生装置への更なる挿入が規制される。
【００４５】
上述した誤挿入防止溝部６０は、長さを異にする実施例の如く２種類に限定されることなく、３種類以上設けるようにしてもよい。
【００４６】
例えば、従来の誤挿入防止溝部６０の長さＧＬ≒２０ｍｍとなされているのに対し、高記録密度の光ディスクを収納した光ディスクカートリッジはＨＬ≒１０ｍｍとされる。更には、高記録密度化が進み、数百ＭＢ（メガバイト）から１、３、５ＧＢ（ギガバイト）のように分類され、商品が具現化される場合は、約５ｍｍ単位でＨＬ≒５、１０、１５、２０ｍｍ、という形で識別が図られる。
【００４７】
本発明に係るディスクカートリッジは、上述した実施例の如くカートリッジ本体２４の上下の主面に記録及び／又は再生用の開口部３０、３１を設けたものに限られず、一方の主面のみに記録及び／又は再生用の開口部が設けられたものであってもよい。このディスクカートリッジに取り付けられるシャッタ部材３２は、一方の側の開口部を開閉するシャッタ部のみを設けたものが用いられる。
【００４８】
さらに、本発明に係るディスクカートリッジは、上述の実施例に示した如く、磁気ディスク、光ディスク、光磁気ディスクを収納したものに限定されず、その他種々の方式の情報記録媒体となるディスクを収納するディスクカートリッジにも適用することができる。
【００４９】
因みに、図１３は、記録媒体と、これらの記録及び／又は再生装置の互換性を示すものであり、高記録密度ＭＤのカートリッジの誤挿入防止溝を浅く（短く）することにより、ＭＤ−ａｕｄｉｏの各装置には、メカ的に挿入されず、もってユーザが即座に非互換であることを認識できる。また、高記録密度ｄｒｉｖｅでは、媒体のカートリッジの誤挿入防止溝に導入される誤挿入防止部材の長さを短くすることで、高記録密度ＭＤを受け入れることが可能になる。
【００５０】
【発明の効果】
高記録密度の光ディスクを収納した光ディスクカートリッジ及び、従来記録密度の光ディスクを収納した光ディスクカートリッジを高記録密度の光ディスク記録及び／又は再生装置に挿入すると、シャッタ開放操作用溝部にシャッタ開放部材が係合し誤挿入防止溝部に誤挿入防止部材が係合して確実に装着され、高記録密度の光ディスクを納した光ディスクカートリッジを従来記録密度の光ディスク記録及び／又は再生装置に挿入したときには、誤挿入防止部材がディスクカートリッジの誤挿入防止溝部に当接し、従来記録密度の光ディスク記録及び／又は再生装置への更なる挿入が規制される。
【図面の簡単な説明】
【図１】従来のディスクカートリッジを示す平面図である。
【図２】従来のディスクカートリッジをディスク記録及び／又は再生装置のカートリッジ装着部に挿入し、記録及び／又は再生用の開口部を開放した状態を示す平面図である。
【図３】従来のディスクカートリッジの分解斜視図である。
【図４】従来のディスクカートリッジを誤挿入防止溝部側から覗いた斜視図である。
【図５】本発明に係るディスクカートリッジを示す斜視図である。
【図６】本発明に係るディスクカートリッジの分解斜視図である。
【図７】本発明に係るディスクカートリッジを高記録密度の光ディスク記録及び／又は再生装置のカートリッジ装着部に挿入し、記録及び／又は再生用の開口部を開放した状態を示す平面図である。
【図８】本発明に係るディスクカートリッジを誤挿入防止溝部側から覗いた斜視図である。
【図９】本発明に係るディスクカートリッジを誤挿入防止溝部の拡大斜視図である。
【図１０】本発明に係るディスクカートリッジの誤挿入防止溝部の変形例の斜視図である。
【図１１】本発明に係るディスクカートリッジの誤挿入防止溝部の規制端面の斜視図である。
【図１２】本発明に係る誤挿入防止部材の変形例の断面図である。
【図１３】本発明の効果を示す図表である。
【符号の説明】
２１…ディスクカートリッジ、２４…ケース本体部、２７…情報ディスク、２８…ハブ、２９…チャッキング用開口部、３０，３１…記録再生用開口部、３２…シャッタ部材、６０…誤挿入防止用溝部、６０ａ…開放端、６０ｂ…規制端面、７１…カートリッジ装着部、７４…誤挿入防止ピン。
【図１】
2004118895.tif 000003
【図２】
2004118895.tif 000004
【図３】
2004118895.tif 000005
【図４】
2004118895.tif 000006
【図５】
2004118895.tif 000007
【図６】
2004118895.tif 000008
【図７】
2004118895.tif 000009
【図８】
2004118895.tif 000010
【図９】
2004118895.tif 000011
【図１０】
2004118895.tif 000012
【図１１】
2004118895.tif 000013
【図１２】
2004118895.tif 000014
【図１３】
2004118895.tif 000015